(57)【要約】      （修正有）【課題】着脱自在のサポート部材を有し、高温時にも容器保持部が展開することなく確実に退避位置を保持できる容器ホルダ装置を提供する。【解決手段】容器ホルダ装置のサポート部材に、サポート基部２０と、容器保持部２１０，２１１と、展開付勢部と、押圧位置と解除位置との間を移動する押圧部２３と、を設ける。容器保持部は、退避位置において、少なくとも一部がサポート基部に格納されるようにする。押圧部は押圧位置においてサポート基部を外方に押圧して撓ませる。さらに、押圧部には、退避位置にある容器保持部を展開方向へ押圧する押圧リブ２３６を備える。また、サポート基部は退避位置における容器保持部と係合する係合部２０５を備える。サポート基部が押圧されると、押圧部が押圧位置に移動し、押圧リブが容器保持部を展開方向へ押圧して、サポート基部の係合部２０５と容器保持部との係合を解除する。【選択図】図３
2012176668.tif 000002
【特許請求の範囲】
【請求項１】
箱状をなし内部に収容空間を形成するホルダ本体と、該ホルダ本体に脱着可能に取り付けられるサポート部材と、を持ち、
該サポート部材は、枠状をなし該ホルダ本体に脱着可能に固定されるサポート基部と、該サポート基部に保持され少なくとも一部が該サポート基部に格納される退避位置と該サポート基部から該収容空間に向けて展開する展開位置との間を移動する容器保持部と、
該容器保持部を該展開位置に付勢する展開付勢部と、
該サポート基部に保持され該サポート基部を外方に押圧して撓ませる押圧位置と該サポート基部の撓みを解除する解除位置との間を移動する押圧部と、を持ち、
該サポート基部は、該退避位置における該容器保持部と係合する係合部を持ち、
該押圧部は、該退避位置にある該容器保持部を展開方向へ押圧する押圧リブを備え、
該サポート基部が押圧されて該押圧部が該押圧位置に移動すると、該押圧リブが該容器保持部を展開方向へ押圧し、該係合部と該容器保持部との係合が解除されることを特徴とする容器ホルダ装置。
【請求項２】
前記サポート基部は、前記解除位置から前記押圧位置への前記押圧部の進行方向に向けて内部が徐々に縮径するテーパ状をなす請求項１に記載の容器ホルダ装置。
【請求項３】
前記サポート部材は、前記押圧部を前記解除位置に付勢する解除付勢部を持つ請求項１に記載の容器ホルダ装置。
【請求項４】
前記容器保持部は前記サポート基部に枢支される枢支端を持つとともに該枢支端を中心に回動して前記退避位置と前記展開位置との間を移動する請求項１に記載の容器ホルダ装置。
【発明の詳細な説明】
【技術分野】
【０００１】
本発明は、車両等に配設される容器ホルダ装置に関する。詳しくは、着脱自在のサポート部材を有する容器ホルダ装置の改良に関する。
【背景技術】
【０００２】
容器ホルダ装置は、飲料が入った缶やコップ、ペットボトルなどの容器を収容するための装置である。容器ホルダ装置は、箱状をなし内部に収容空間を形成するケース体を持ち、収容空間に容器を収容する。
【０００３】
本発明者らは、特許文献１で、このような容器ホルダ装置として、ケース体に着脱自在に固定できるサポート部材を持つ容器ホルダ装置を提案した。ここで、サポート部材はケース体に固定されるサポート基部と、サポート基部に保持される容器保持部とを持つ。サポート基部は、退避位置における容器保持部と係合する係合部を持ち、サポート基部を押圧する押圧部が押圧位置に移動すると、サポート基部の係合部と容器保持部との係合が解除されるものである。この容器ホルダ装置によれば、押圧部を解除位置から押圧位置に移動させる動作のみで、容器保持部を退避位置から展開位置に容易に移動できる。
【０００４】
しかし、この容器ホルダ装置は、サポート基部の係合部と容器保持部との係合代が少ないために高温時（例えば、耐熱試験時など）には、サポート基部にロックされていた容器保持部が自然に展開する場合があり、改善が望まれていた。
【０００５】
また、サポート部材はケース体に着脱自在に固定できるようになっているが、サポート部材をケース体から取り外した場合に、外力が加わって容器保持部が容易に展開したり、変形したりするおそれがあった。
【先行技術文献】
【特許文献】
【０００６】
【特許文献１】特開２００７−３２０４９２号公報
【発明の概要】
【発明が解決しようとする課題】
【０００７】
本発明は上記事情に鑑みてなされたものであり、着脱自在のサポート部材を有し、かつ、高温時（例えば、耐熱試験時など）にも容器保持部が展開ことなく確実に退避位置を保持できる容器ホルダ装置の提供を課題とする。
【課題を解決するための手段】
【０００８】
上記課題を解決する本発明の容器ホルダ装置は、箱状をなし内部に収容空間を形成するホルダ本体と、該ホルダ本体に脱着可能に取り付けられるサポート部材と、を持ち、該サポート部材は、枠状をなし該ホルダ本体に脱着可能に固定されるサポート基部と、該サポート基部に保持され少なくとも一部が該サポート基部に格納される退避位置と該サポート基部から該収容空間に向けて展開する展開位置との間を移動する容器保持部と、該容器保持部を該展開位置に付勢する展開付勢部と、該サポート基部に保持され該サポート基部を外方に押圧して撓ませる押圧位置と該サポート基部の撓みを解除する解除位置との間を移動する押圧部と、を持ち、該サポート基部は、該退避位置における該容器保持部と係合する係合部を持ち、該押圧部は、該退避位置にある該容器保持部を展開方向へ押圧する押圧リブを備え、該サポート基部が押圧されて該押圧部が該押圧位置に移動すると、該押圧リブが該容器保持部を展開方向へ押圧し、該係合部と該容器保持部との係合が解除されることを特徴とする容器ホルダ装置。
【０００９】
本発明の容器ホルダ装置は、下記の（１）〜（３）の何れかを備えるのが好ましい。（１）〜（３）の複数を備えるのが望ましい。
【００１０】
（１）前記サポート基部は、前記解除位置から前記押圧位置への前記押圧部の進行方向に向けて内部が徐々に縮径するテーパ状をなす。
【００１１】
（２）前記サポート部材は、前記押圧部を前記解除位置に付勢する解除付勢部を持つ。
【００１２】
（３）前記容器保持部は前記サポート基部に枢支される枢支端を持つとともに該枢支端を中心に回動して前記退避位置と前記展開位置との間を移動する。
【発明の効果】
【００１３】
本発明の容器ホルダ装置においては、退避位置にロックされている容器保持部を展開するに際して、展開付勢部の付勢力に抗してラップ代を維持している係合部と容器保持部との係合を、サポート基部を押圧することにより生じる押圧リブを介した外側への押出力によって解除することができる。従って、収容空間１０の温度変化やわずかな外力などにより容器保持部が展開することを回避でき、容器保持部２１を退避位置に安定して保持することができる。
【００１４】
本発明の容器ホルダ装置が上記（１）を備える場合には、サポート基部および押圧部を簡単な構造にできるため、容器ホルダ装置をさらに安価に製造できる。
【００１５】
本発明の容器ホルダ装置が上記（２）を備える場合には、押圧部を押圧位置から解除位置に移動させる操作が必要なくなるため、容器保持部を展開位置から退避位置に容易に移動させ得る。
【００１６】
本発明の容器ホルダ装置が上記（３）を備える場合には、容器保持部が回動して退避位置と展開位置との間を移動するため、退避位置におけるサポート部材の外形をさらに小さくできる。よって、容器ホルダ装置により大きな荷物を収容できるとともに、ケース体から取り外したサポート部材がより一層嵩張らなくなる。
【図面の簡単な説明】
【００１７】
【図１】実施形態の容器ホルダ装置を模式的に表す斜視図である。
【図２】実施形態の容器ホルダ装置におけるサポート部材２を模式的に表す分解斜視図である。
【図３】実施形態の容器ホルダ装置におけるサポート部材２の動作を説明する説明図である。
【図４】実施形態の容器ホルダ装置におけるサポート部材２の動作を説明する説明図である。
【図５】実施形態の容器ホルダ装置におけるサポート部材２の動作を説明する説明図である。
【図６】実施形態の容器ホルダ装置におけるサポート部材２の動作を説明する説明図である。
【図７】実施形態の容器ホルダ装置における係止部の変位を説明する説明図である。
【発明を実施するための形態】
【００１８】
以下、図面を基に本発明の容器ホルダ装置を説明する。
【００１９】
本実施形態の容器ホルダ装置は、自動車のコンソールボックスに配設される。本実施形態の容器ホルダ装置は、上記（１）〜（３）を備える。
【００２０】
実施形態の容器ホルダ装置を模式的に表す斜視図を図１に示す。実施形態の容器ホルダ装置におけるサポート部材を模式的に表す分解斜視図を図２に示す。実施形態の容器ホルダ装置におけるサポート部材の動作を説明する説明図を図３〜図６に示す。なお、図３及び図４はサポート部材のなかで特に容器保持部の動作を説明する図であり、図５と図６とはサポート部材のなかで特に押圧部の動作を説明する図である。また、サポート基部と容器保持部との係合状態を説明する説明図を図７に示した。以下、実施形態における上、下、左、右、前、後とは、特に断らない限り図１に示す上、下、左、右、前、後を指す。
【００２１】
本実施形態の容器ホルダ装置は、収容空間１０を有する箱状のホルダ本体１と、ホルダ本体１に着脱自在に保持されるサポート部材２とからなる。ホルダ本体１は、容器が挿入される収容空間１０を備えており、また、ホルダ本体１の長側壁の内面には、ほぼ中央に一対の第１のレール１１が互いに対向して形成されている。さらに、ホルダ本体１の内周面において、一方の短側壁近傍には、一対の第２のレール１２が、互いに対向して設けられている。ここで、第１及び第２のレールはいずれもサポート部材２を係合保持するものであるが、第２のレール１２の上端部１２１は、第１のレール１１の上端部１１１よりも底面１３からより高い位置に配されている。これにより、後述するサポート部材２を第２のレールに係合した場合に、容器保持部２１が退避位置を保持することができる。収容空間１０は、直径が大きな大径容器も収納可能な大きさに形成されている。
【００２２】
図２に示すように、サポート部材２は、サポート基部２０と、２つの容器保持部２１と、２つの展開付勢部２２と、押圧部２３と、解除付勢部２４と、スライド座部２５とを持つ。
【００２３】
サポート基部２０は枠状をなす。詳しくは、サポート基部２０は、上下に延びる２つの立壁部（２００、２０１）と、これら２つの立壁部の上端部を連結する上壁部２０２とを持つ。立壁部（２００、２０１）の外側表面にはそれぞれ係合溝２０６が形成されている。この係合溝２０６を後述する係合溝２３３を介してホルダ本体１の第１のレール１１に係合することで、サポート部材２は、収容空間１０を二つに区画するようにホルダ本体１のほぼ中央に脱着可能に保持される。
【００２４】
立壁部（２００、２０１）の上側部分には、上下に延び左右に配列する２つの上側ガイド部２０３が形成されている。また、立壁部（２００、２０１）の下側部分には、上下に延び左右に配列する２つの下側ガイド部２０４が形成されている。各上側ガイド部２０３および下側ガイド部２０４は長孔状をなす。各上側ガイド部２０３の下方には、それぞれ、サポート基部２０の内部に向けて突起する第１係合部２０５が形成されている（本実施形態では４箇所）。
【００２５】
前立壁２００は、後面が下方前側から上方後側に向けて傾斜したテーパ状をなす。後立壁２０１もまた、前面が下方後側から上方前側に向けて傾斜したテーパ状をなす。したがってサポート基部２０は、下方から上方に向けて内部が徐々に縮径するテーパ状をなす。なお、第１係合部２０５は本発明における係合部に相当する。
【００２６】
本実施形態の容器ホルダ装置は、２つの容器保持部２１をもつ。２つの容器保持部２１は略板状をなす。一方の容器保持部２１を右保持部２１０と呼び、他方の容器保持部２１を左保持部２１１と呼ぶ。左保持部２１１の右端部には、前後に突起する２つの枢支軸２１２が形成されている。左保持部２１１の左端部はほぼ直線状に形成されている。右保持部２１０の左端部にもまた、前後に突起する２つの枢支軸２１２が形成されており、右保持部２１０の右端部も同様にほぼ直線状に形成されている。
【００２７】
左保持部２１１の前方に突起する枢支軸２１２は、前立壁２００の左側に形成されている上側ガイド部２０３に挿通されている。左保持部２１１の後方に突起する枢支軸２１２は、後立壁２０１の左側に形成されている上側ガイド部２０３に挿通されている。右保持部２１０の前方に突起する枢支軸２１２は、前立壁２００の右側に形成されている上側ガイド部２０３に挿通されている。右保持部２１０の後方に突起する枢支軸２１２は、後立壁２０１の右側に形成されている上側ガイド部２０３に挿通されている。したがって左保持部２１１および右保持部２１０は、２つの枢支軸２１２を中心に回動し、図３に示す退避位置と、図４に示す展開位置との間を移動する。左保持部２１１における２つの枢支軸２１２は、本発明における枢支端に相当する。右保持部２１０における２つの枢支軸２１２もまた、本発明における枢支端に相当する。さらに、各上側ガイド部２０３はそれぞれ上下に延びるため、左保持部２１１および右保持部２１０は、サポート基部２０に対して上下方向にスライド移動する。
【００２８】
左保持部２１１の前面および後面には、枢支端と逆側の端部に、それぞれ板状の第２係合部２１３が突出して形成されている。右保持部２１０の前面および後面にもまた、枢支端と逆側の端部に、それぞれ板状の第２係合部２１３が突出して形成されている。図７に示すように、係合部２１３は、平面視略短冊状であり、保持部（２１０、２１１）の前後面から１〜２ｍｍ突出するように形成されている。
【００２９】
スライド座部２５は略板状をなす。スライド座部２５の左端部には、前後に突起する２つのスライド軸２５０が形成されている。スライド座部２５の右端部にもまた、前後に突起する２つのスライド軸２５０が形成されている。スライド座部２５の前方に突起するスライド軸２５０は、それぞれ前立壁２００の上側ガイド部２０３に挿通されている。スライド座部２５の後方に突起するスライド軸２５０は、後立壁２０１の上側ガイド部２０３に挿通されている。したがってスライド座部２５は、サポート基部２０の内部に保持されるとともに、サポート基部２０に対して上下方向にスライド移動する。なお、各スライド軸２５０は、各上側ガイド部２０３の内部において、容器保持部２１の各枢支軸２１２よりも下方に配されている。
【００３０】
スライド座部２５の上面には、前後に配列する２つの展開付勢保持部２５１が形成されている。展開付勢保持部２５１は展開付勢部２２の外周面を保持する。実施形態の容器ホルダ装置は巻きバネからなる２つの展開付勢部２２（２２０，２２１）をもつ。展開付勢部２２の一端はスライド座部２５に固着され、他端は容器保持部２１（２１０、２１１）の下面に弾接している。展開付勢部２２は容器保持部２１を上方に向けて付勢している。したがって容器保持部２１は図４に示す展開位置に付勢されている。
【００３１】
押圧部２３は台状の脚部２３１と、この脚部２３１の上面に前後方向に延びるように立設された押圧壁２３２とよりなる。脚部２３１の前面及び後面の中央部にはそれぞれ係合溝２３３が形成されている。係合溝２３３は脚部２３１の前面及び後面において、サポート基部２０の立壁部（２００、２０１）外側表面に形成された係合溝２０６に連なるように形成されている。したがって、係合溝２３２は係合溝２０６とともに、ホルダ本体１の第１のレール１１に係合することができる。
【００３２】
脚部２３１上縁の左右端部には、それぞれ前後に突起する２つの押圧スライド軸２３４が形成されている。前方に突起する押圧スライド軸２３４は、それぞれ前立壁２００に形成されている下側ガイド部２０４に挿通されており、後方に突起する押圧スライド軸２３４は、それぞれ後立壁２０１に形成されている下側ガイド部２０４に挿通されている。したがって押圧部２３は、サポート基部２０に対して上下方向にスライドして、図５に示す解除位置（退避位置）と図６に示す押圧位置との間を移動する。
【００３３】
押圧壁２３２は、側面視（左右方向）略台形状をなし、脚部２３１の上面中央に前後方向に延設されている。押圧壁２３２の前後面は、押圧力の解除位置にて、それぞれ対向する立壁部（２００、２０１）の内面と平行に形成されている。押圧壁２３２には、上方に延びる筒状の解除付勢保持部２３５が形成されている。解除付勢保持部２３５は解除付勢部２４の外周面を保持する。実施形態の容器ホルダ装置は巻きバネからなる解除付勢部２４をもつ。解除付勢部２４の一端は解除付勢保持部２３５に固着され、他端はスライド座部２５に固着されている。解除付勢部２４は、押圧部２３を下方に付勢している。したがって、押圧部２３は解除位置に付勢されている。
【００３４】
本実施形態において、押圧部２３は、押圧壁２３２の側面に左右方向に突出するそれぞれ一対の押圧リブ２３６を備えている。リブ２３６は、押圧壁２３２の側面と脚部２３１の上面とに直交し、下方に向かって側面から離間する斜面２３７を有する三角形状に形成されている。
【００３５】
次に、実施形態の容器ホルダ装置の動作を以下に説明する。
【００３６】
実施形態の容器ホルダ装置において、右保持部２１０および左保持部２１１は、それぞれ枢支端２１２を中心に回動して、図３に示す退避位置と図４に示す展開位置との間を移動する。図４に示す展開位置において、右保持部２１０は右展開付勢部２２１に付勢されて収容空間１０の右方に向けて展開している。左保持部２１１は左展開付勢部２２０に付勢されて収容空間１０の左方に向けて展開している。したがって、このとき実施形態の容器ホルダ装置は、ホルダ本体１の右側の内面と右保持部２１０の右端部とで小型の容器を収容保持できる。また、ホルダ本体１の左側の内面と左保持部２１１の左端部とでも小型の容器を収容保持できる。
【００３７】
一方、実施形態の容器ホルダ装置において、右側の収容空間１０や左側の収容空間１０に大型の容器を保持する場合や、変形し易い荷物等を収容する場合には、右保持部２１０や左保持部２１１を下方に回動させ、図３に示す退避位置に移動させる。図３に示すように、右保持部２１０が退避位置に移動すると、右保持部２１０の第２係合部２１３がサポート基部２０の黒塗りで示す第１係合部２０５と係合する。したがって、右保持部２１０は退避位置にロックされる。同様に、左保持部２１１が退避位置に移動すると、左保持部２１１の第２係合部２１３がサポート基部２０の黒塗りで示す第１係合部２０５と係合するため、退避位置にロックされる。退避位置にロックされた右保持部２１０や左保持部２１１は、収容空間１０に収容された容器や荷物に干渉しない。このため、右保持部２１０や左保持部２１１を退避位置に配することで、収容空間１０に大型の容器や変形し易い荷物等を収容できる。また、退避位置において、右保持部２１０および左保持部２１１は、ほぼ全体がサポート基部２０の内部に格納される。
【００３８】
このような容器保持部２１の退避位置において、すなわち、容器保持部２１の第２係合部２１３がサポート基部２０の第１係合部２０５と係合した状態では、容器保持部２１はリブ２３６の上方に位置している。より詳しくは、右保持部２１０および左保持部２１１の枢支軸２１２と反対側の端部２１５がリブ２３６の斜面２３７には当接しないようにされている。
【００３９】
したがって、退避位置では、右保持部２１０や左保持部２１１はサポート基部２０に保護され、過大な荷重が加わることはない。よって実施形態の容器ホルダ装置によると、右保持部２１０や左保持部２１１の変形を回避できる。また、サポート部材２をホルダ本体１から取り外したときにも、退避位置にロックされた右保持部２１０や左保持部２１１はサポート基部２０に保護されるため、同様に、右保持部２１０や左保持部２１１の変形を回避できる。
【００４０】
右保持部２１０や左保持部２１１を、図３に示す退避位置から図４に示す展開位置に移動させるときには、収容空間１０に手を差し込み、サポート部材２のサポート基部２０を下方に押圧する。通常、サポート部材２は、収容空間１０を区画するように第１のレール１１に係合して配置されている。なお、この状態では押圧部２３の脚部２３０はホルダ本体１の底面１３に当接している。また、サポート部材２は、第１のレール１１によって左右の移動は規制されているものの、サポート基部２０の上下方向への移動は可能とされている。
【００４１】
サポート基部２０は、下方から上方に向けて内部が徐々に縮径するテーパ状をなすため、サポート基部２０を下方に押圧すると、相対的に押圧部２３が上方に移動して、押圧部２３により外方に押圧されるのでサポート基部２０は撓む。詳しくは、サポート基部２０が撓む際には、２つの立壁部（２００、２０１）は上端部を中心として図６の矢印方向に回動する。このため、第１係合部２０５と第２係合部２１３との係合状態は図７のように変化する。
【００４２】
図７は、図５及び図６における円Ｃ内の拡大図であり、サポート基部２０の立壁２００に形成された第１係合部２０５と左保持部２１１に形成されている第２係合部２１３との係合状態の変化を模式的に示す。図７において、図５に示す解除位置は実線で示し、図６の押圧位置は鎖線で示した。
【００４３】
容器保持部２１が退避位置（解除位置）にある場合には、第２係合部２１３は第１係合部２０５の内側に位置するとともに、斜線で示すラップ代Ｂ１で第１係合部２０５と係合して、左保持部２１１はサポート基部２０にロックされている。サポート基部２０を下方に押圧すると、第１係合部２０５は第２係合部２１３よりも相対的に下方へ移動するとともに、立壁部２００が外方に押圧されて撓むので、第１係合部２０５は鎖線で示すように第２係合部２１３から離れる方向へ移動し、ラップ代Ｂ１は小さくなる。
【００４４】
一方、退避位置においては、容器保持部（２１０、２１１）の端部２１５はリブ２３６の斜面２３７には当接ない斜面２３７直上に配置されている。ところが、サポート基部２０を下方に押圧すると、容器保持部（２１０、２１１）の端部２１５は斜面２３７に沿って下降する。斜面２３７は、下降するにつれて側面から離間する方向（容器保持部の展開方向）に傾斜しているので、容器保持部の端部２１５には外側に押し出される力が作用する。従って、斜面２３７を降下することにより生じるこの外側への押出力とにより、展開付勢部２２の付勢力に抗してラップ代Ｂ２を維持していた第１係合部２０５と第２係合部２１３との係合が解除される。
【００４５】
なお、移動後の第１係合部２０５と第２係合部２１３との係合が押圧による変位と立壁部（２００、２０１）の外方への撓みのみでは解除されないように、第１係合部２０５と第２係合部２１３の形状や配置位置が調整されている。
【００４６】
実施形態の容器ホルダ装置では、展開付勢部２２の付勢力に加えて押圧リブ２３６により生じる外側への押出力とによって、最終的に第１係合部２０５と第２係合部２１３との係合が解除されるように構成されているので、収容空間１０の温度変化やわずかな外力などにより容器保持部（２１０、２１１）が退避位置から展開位置へと変位することがない。よってサポート部材２において、容器保持部２１を退避位置に安定して保持することができる。
【００４７】
第１係合部２０５と第２係合部２１３との係合が解除されると、右保持部２１０は右展開付勢部２２１に付勢されて展開位置に移動する。左保持部２１１もまた左展開付勢部２２０に付勢されて展開位置に移動する。押圧部２３は解除付勢部２４によって下方すなわち解除位置に付勢されているため、サポート基部２０から手を離すと、サポート基部２０は上昇して再度解除位置に戻り、サポート基部２０の撓みは解除される。このため、容器保持部２１を再度退避位置に移動させると、第１係合部２０５と第２係合部２１３とが再度係合して容器保持部２１が再度退避位置にロックされる。
【００４８】
容器保持部２１は、枢支端を中心に回動し、退避位置と展開位置との間を移動する。このため、退避位置において、容器保持部２１は折り畳まれた状態でサポート基部２０に格納され、外形が非常に小さくなる。したがって、実施形態の容器ホルダ装置では、容器保持部２１を退避位置にしたサポート部材２を第１のレールから取り出して第２のレールに係合することにより、収容空間１０に区画を設けることなく一つの大きな空間を形成することができ、より大きな荷物をホルダ本体１に収容可能になる。なお、サポート部材２が第２のレールに係合された状態では、サポート部材２はホルダ本体１の底面１３から隙間を持って保持される。つまり、サポート基部２０が第２のレール端部１２１によって係止されるので、サポート基部２０を押圧することはできない。従って、サポート部材２において、容器保持部２１を退避位置に安定して保持することができる。
【符号の説明】
【００４９】
１：ホルダ本体、２：サポート部材、１０：収容空間、２０：サポート基部、２１：容器保持部２１、２２：展開付勢部、２３：押圧部、２４：解除付勢部、２５：スライド座部、２０５：係合部（第１係合部）、２１３：第２係合部、２３６：押圧リブ
【図１】
2012176668.tif 000003
【図２】
2012176668.tif 000004
【図３】
2012176668.tif 000005
【図４】
2012176668.tif 000006
【図５】
2012176668.tif 000007
【図６】
2012176668.tif 000008
【図７】
2012176668.tif 000009